(57)【要約】【目的】本発明はトリマを利用してドア金具のフロント金具を取り付ける溝を形成する為の補助具に関するものである。【構成】ドア１のフロント面３に対して装着する主板１０と、同主板１０上に設け、ドア１のフロント面３を露出させる長手方向の掘込孔１１と、同主板１０の裏面で、長手方向の掘込孔１１に対して左右部に配設したパンタグラフ機構のドア挟持装着具１２と、同主板１０の表面で、長手方向の掘込孔１１の一端部に設けた基準板１３と、同主板１０の表面で、長手方向の掘込孔１１の左右部に沿って配設したパンタグラフ機構の左右ガイド板１４，１５と，同左右ガイド板１４，１５の間で、かつ長手方向の掘込孔１１の他端部に、同掘込孔１１上に沿って移動可能に配設した可動ガイド板１６とから構成している。【選択図】          図１
2005226437.tif 000002
【特許請求の範囲】
【請求項１】
ドア１のフロント面３に対して装着する主板１０と、同主板１０上に設け、ドア１のフロント面３を露出させる長手方向の掘込孔１１と、同主板１０の裏面で、長手方向の掘込孔１１に対して左右側方部に配設したパンタグラフ機構のドア挟持装着具１２と、同主板１０の表面で、長手方向の掘込孔１１の一端部に設けた基準板１３と、同主板１０の表面で、長手方向の掘込孔１１の左右側方部に沿って配設したパンタグラフ機構の左右ガイド板１４，１５と、同左右ガイド板１４，１５の間で、かつ長手方向の掘込孔１１の他端部に、同掘込孔１１上に沿って移動可能に配設した可動ガイド板１６とからなるドア用フロント金具取付溝形成用補助具。
【請求項２】
上記の基準板１３と、左右ガイド板１４，１５と、可動ガイド板１６との間に、正方形状のトリマ設置用補助プレート１７と、フロント金具５とを配置可能としたことを特徴とする請求項１に記載のドア用フロント金具取付溝形成用補助具。
【請求項３】
トリマ設置用補助プレート１７の一辺を８４ｍｍとしたことを特徴とする請求項２に記載のドア用フロント金具取付溝形成用補助具。
【発明の詳細な説明】
【発明の詳細な説明】
【技術分野】
【０００１】  本発明はトリマを利用してドア用フロント金具取付溝を形成する為の補助具に関する。
【背景技術】
【０００２】  従来、従来のドア金具の構造として、図８に示すように、ドア１の左右側面に設けた貫通孔にノブ２を取付け、ドア１のフロント面３に、同ノブ２と連動したフロント金具４を取付けている。同フロント金具４は、フロント面３の面一状に取付けた長方形状のプレート５と、同プレート５より突出可能としたシリンダ部６とから構成されており、ノブ２の操作により連動するシリンダ部６の作動によって、シリンダ部６がドア枠より解除され、ドア１の開閉を行うものである。【０００３】  そして、フロント金具４のプレート５をドア１のフロント面３と面一状に取付けることにより、プレート５とドア枠との干渉を解消させ、ドア１を円滑に開閉させるものである。
【発明が解決しようとする課題】
【０００４】  上記のフロント金具４のプレート５は、ドア１のフロント面３に同一形状の取付溝７を掘込み、同溝７中に埋込んで、フロント面３と面一状に取付けていた。
【０００５】  ところが、取付溝７の掘込作業は、トリマ等を利用して、ドア１のフロント面３を掘込んでいたが、トリマの掘削刃をドアの部位に直接あてており、正確性に欠け、仕上がり具合が悪く、さらには、現場で作業を行う為に、非常に煩雑なものであった。
【０００６】  本発明は上記の課題を解決することのできるドア用フロント金具取付溝形成用補助具を提供することを目的としている。
【課題を解決する為の手段】
【０００７】  本発明では、ドアのフロント面に対して装着する主板と、同主板上に設け、ドアのフロント面を露出させる長手方向の掘込孔と、同主板の裏面で、長手方向の掘込孔に対して左右側方部に配設したパンタグラフ機構のドア挟持装着具と、同主板の表面で、長手方向の掘込孔の一端部に設けた基準板と、同主板の表面で、長手方向の掘込孔の左右側方部に沿って配設したパンタグラフ機構の左右ガイド板と、同左右ガイド板の間で、かつ長手方向の掘込孔の他端部に、同掘込孔上に沿って移動可能に配設した可動ガイド板とからなることを特徴としている。
【０００８】  また、本発明は、上記の基準板と、左右ガイド板と、可動ガイド板との間に、正方形状のトリマ設置用補助プレートと、フロント金具とを配置可能としたことを特徴としている。
【０００９】  また、本発明は、トリマ設置用補助プレートの一辺を８４ｍｍとしたことを特徴としている。
【発明を実施するための最良の形態】
【００１０】  本発明では、パンタグラフ機構のドア挟持装着具でドアの任意箇所に両側面を挟持して、補助具の主板をドアのフロント面に装着させ、同フロント面に主板の長手方向の掘込孔を設置する。【００１１】  上記の主板上の左右ガイド板間において、トリマ設置用補助プレートと横方向としたフロント金具とを並べて左右ガイド板の間隔を設定して、フロント金具取付溝の幅を決める。その際、左右ガイド板はパンタグラフ機構により、簡単に幅決めすることができる。【００１２】  ついで、左右ガイド板内で、基準板と可動ガイド板との間において、トリマ設置用補助プレートと長手向としたフロント金具とを並べて可動ガイド板を可動させて、基準板と可動ガイド板との間隔を設定して、フロント金具取付溝の長さを決める。【００１３】  そして、補助具の左右ガイド板、基準板および可動ガイド板にトリマの設置用プレートを沿わせながら同トリマを移動させる。その際には、トリマの掘込刃を主板の掘込孔内において移動させることにより、ドアのフロント面を掘り込み、フロント面にフロント金具取付溝を形成する。
【実施例】
【００１４】  本発明の実施例を図面にもとづいて詳説すると、図１及び図２において、Ａはフロント金具を取付ける為の取付溝を形成する補助具を示している。【００１５】  かかる補助具Ａは、ドア１のフロント面３に対して装着する主板１０と、同主板１０上に設け、ドア１のフロント面３を露出させる長手方向の掘込孔１１と、同主板１０の裏面で、長手方向の掘込孔１１に対して左右部に配設したパンタグラフ機構のドア挟持装着具１２と、同主板１０の表面で、長手方向の掘込孔１１の一端部に設けた基準板１３と、同主板１０の表面で、長手方向の掘込孔１１の左右側方部に沿って配設したパンタグラフ機構の左右ガイド板１４，１５と、同左右ガイド板１４，１５の間で、かつ長手方向の掘込孔１１の他端部に、同掘込孔１１上に沿って移動可能に配設した可動ガイド板１６とから構成している。【００１６】  上記構成において、本実施例では、図１に示すように、縦長手状とした主板１０の略縦中心線上に沿って長手状の掘込孔１１を設けており、同掘込孔１１によりドア１のフロント面３を露出させている。本実施例では、図３に示すように、掘込孔１１の幅をドア１のフロント面３の幅と略同一状態としている。【００１７】  そして、かかる主板１０の裏面には、ドア１に装着するパンタグラフ機構のドア挟持装着具１２が取付けられており、同ドア挟持装着具１２は、ドア１の両側面を挟持固定する長手状の左右挟持体１８，１９と、同左右挟持体１８，１９の両端部を回転自在に連結したリンク体２０，２０とからなり、各リンク体２０，２０の中心部２１を主板１０の略縦中心線上で、かつ掘込孔１の上下側方部に回転自在に取付けている。【００１８】  ２２は左右挟持体１８，１９に取付けた固定具を示し、左右挟持体１８，１９にステー２３を架設するとともに、同ステー２３の一端部を右挟持体１９に固定し、同ステー２３の他端部に、進退自在の螺旋幹２４を取付けて、同螺旋幹２４で左挟持体１７を押圧して、左右挟持体１８，１９をドア１に固定する。２５は螺旋幹２４の操作ハンドル、２６は螺旋幹２４に設けた左挟持体１８の押圧盤、２７は左右挟持体１８，１９の内側面に貼り付けた保護用ラバー、２８は主板１０の裏面に取付けたリンク体２０のストッパーを示す。【００１９】  次いで、主板１０の表面には、図１〜図４に示すように、トリマＢの移動範囲を規制する基準板１３と、パンタグラフ機構の左右ガイド板１４，１５とが取付けられており、左右ガイド板１４，１５は、長手状の左右調整平板３０．３１と、同平板３０．３１上に取付けた長手状の左右ガイド縦板３２，３３と、同ガイド縦板３２，３３の両端部を回転自在に連結したリンク３４，３５とからなり、各リンク３４，３５の中心部３６を主板１０の略縦中心線上で、かつ掘込孔１１の上下側方部に回転自在に取付けている。また、他の実施例として、左右挟持体１８，１９の両端部を回転自在に連結したリンク体２０，２０の中心部２１と、左右ガイド縦板３２，３３の両端部を回転自在に連結したリンク３４，３５の中心部３６とを一体的に形成することも可能としている。【００２０】  さらに、本実施例では、左右ガイド板１４，１５の連動にともなって、左右調整平板３０．３１の内側端３７���３８により掘込孔１１の幅を調整可能に構成している。３９は主板１０より突設した固定ボルト、４０は左右調整平板３０．３１に設けた円弧状の固定用孔、４１は固定用のナットを示し、固定用孔４０を貫通させた固定ボルト３９の先端部のナット４１によって、パンタグラフ機構の左右ガイド板１４，１５を任意位置で固定する。【００２１】  また、上記の主板１０には、左右ガイド板１４，１５の間において、掘込孔１１上に沿って移動可能に配設した可動ガイド板１６が取付けられており、可動ガイド板１６は、一定の幅と長さを有する可動プレート４２に複数の長孔４３を形成したので、主板１０の一端部に設けたガイドピン４４に可動プレート４２の長孔４３を装着し、左右調整平板３０．３１上に沿って可動プレート４２をスライド可能とし、可動プレート４２の内側面４６と、左右ガイド縦板３２，３３と、基準板１３とによりトリマ移動範囲４７を形成している。４５は固定用ナット、４８は補助板、４９は補助板４８に設けた左右ガイド縦板３２，３３のリンク３５用のストッパー面を示す。【００２２】  本実施例では、図２及び図４に示すように、可動プレート４２の下側面には、掘込孔１１内に沿って可動する可動補助板５０を突設するとともに、同可動補助板５０の先端部に主板１０の裏面より挟持する挟持板５１を取付けて、可動補助板５０と挟持板５１とにより可動プレート４２を掘込孔１１に沿って円滑にスライド可能としている。【００２３】  次いで、図５に示すように、トリマＢについて説明すると、同トリマＢは、円筒形状のトリマ本体５３の先端中心部に、堀込刃５４を回転自在に取付けるとともに、トリマ本体５３の先端部には、同トリマ本体５３を安定させる為のトリマ設置具５５が配置されている。かかるトリマ設置具５５は、正方形状のプレート５６よりなり、堀込刃５４から設置プレート５６一端部の長さａを４２ｍｍに形成されている。【００２４】  そして、本実施例において、図５に示すように、フロント金具取付溝形成用補助具Ａは、上記のトリマ設置具５５に合わせて一辺ｂを８４ｍｍとした正方形状のトリマ設置用補助プレート１７を具備している。本実施例では、トリマ設置用補助プレート１７の一辺ｂの長さを、堀込刃６４から設置プレート５６一端部の長さａの２倍としている。【００２５】  上記フロント金具取付溝形成用補助具Ａは、基準板１３と、左右ガイド板１４，１５と、スライド板１６との間に、正方形状のトリマ設置用補助プレート１７と、フロント金具３とを配置して、トリマ移動範囲４７を設定しており、以下、その使用方法について詳説する。【００２６】  まず、ドア１のフロント面３の任意箇所に、パンタグラフ機構のドア挟持装着具１２の左右挟持体１７，１８でドア１の両側面を挟持し、固定具２２の操作ハンドル２５を操作して左右挟持体１７，１８で、主板１０をドア１に固定する。その際に、主板１０の堀込孔１１の上端縁をフロント面３の任意位置に設置し、フロント面３に取付溝を形成するものである。【００２７】  次いで、主板１０上において、図７に示すように、基準板１３に、トリマ設置用補助プレート１７とフロント金具４のプレート５とを左右方向に配置し、左右方向よりパンタグラフ機構の左右ガ��ド板１４，１５を連動させて、トリマ設置用補助プレート１７とフロント金具４のプレート５とを挟込み、左右ガイド板１４，１５の固定用のナット４１によりパンタグラフ機構の左右ガイド板１４，１５を固定する。【００２８】  さらに、左右ガイド板１４，１５の間において、トリマ設置用補助プレート１７と、長手方向としたフロント金具５とを前後方向に配置し、可動ガイド板１６の可動プレート４２をスライドさせて、基準板１３と可動プレート４２とにより、トリマ設置用補助プレート１７と、フロント金具３とを挟込み、固定用ナット４５により可動プレート４２を固定する。上記の操作により、基準板１３と、左右ガイド板１４，１５と、スライド板１６との間に、トリマ移動範囲４７を形成する。その際に、トリマ移動範囲４７は、パンタグラフ機構のドア挟持装着具１２と、左右ガイド板１４，１５とにより、ドア１のフロント面３の中心線上に設置することができる。【００２９】  そして、図４及び図５に示すように、基準板１３と、左右ガイド板１４，１５と、可動ガイド板１６との間のトリマ移動範囲４７において、トリマＢを移動させて、同トリマＢの堀込刃４４でドア１のフロント面３を堀込む。【００３０】  しかも、トリマＢに取付けたトリマ設置具５５のプレート５６が、基準板１３と、左右ガイド板１４，１５と、可動ガイド板１６に当接して、同トリマＢの堀込刃４４は、主板１０の堀込孔１１を介してドア１のフロント面３内をフロント金具４のプレート５の形状に堀込むものである。
【発明の効果】
【００３１】本発明によれば、以下のような効果を得ることができる。
即ち、上記の補助具を利用することにより、トリマによるフロント面への堀込みを容易に行い、ドアのフロント面に取付溝を形成することがでことができ、しかも、現場においても、フロント金具の形状を正確に堀込むことができる。
【図面の簡単な説明】
【図１】本発明の補助具の分解斜視図である。
【図２】ドアに装着した本発明の補助具の説明図である。
【図３】本発明の補助具の平面図である。
【図４】本発明の補助具の背面図である。
【図５】本発明の補助具の使用状態説明図である。
【図６】本発明の補助具の背面図である。
【図７】本発明の補助具の使用状態説明図である。
【図８】ドアの構造を示す説明図である。
【符号の説明】
Ａ補助具
１０主板
１１堀込孔
１２ドア挟持装着具
１３基準板
１４左ガイド板
１５右ガイド板
１６可動ガイド板
１７トリマ設置用補助プレート
【図１】
2005226437.tif 000003
【図２】
2005226437.tif 000004
【図３】
2005226437.tif 000005
【図４】
2005226437.tif 000006
【図５】
2005226437.tif 000007
【図６】
2005226437.tif 000008
【図７】
2005226437.tif 000009
【図８】
2005226437.tif 000010